(57)【要約】【課題】多くの労力を必要とすることなく一人でも遊技機を載置台上に簡単に載せることができ、作業性が良い遊技機の運搬用台車を提供する。【解決手段】裏面にキャスター１５が取着される水平な載置台１と、起立状態で載置される遊技機Ｐの下部が嵌まり込むように載置台１の上面に形成され、長手方向の少なくとも一端が載置台１の周端縁に達して開放される凹長溝２と、凹長溝２の開放する一端部に配置される回転自在なローラ５と、からなり、凹長溝２の長手方向の寸法は、遊技機Ｐの正面から見た横幅方向の一側下面ａが凹長溝２の底壁２ａ上面に接地しかつその横幅方向の他側下面ｂがローラ５で支持されたとき、遊技機Ｐの重心Ｇ３が凹長溝２におけるローラ５よりも内側に位置するような長さに設定されている。【選択図】図４
2009178379.tif 000002
【特許請求の範囲】
【請求項１】
裏面にキャスターが取着される水平な載置台と、起立状態で載置される遊技機の下部が嵌まり込むように前記載置台の上面に形成され、長手方向の少なくとも一端が前記載置台の周端縁に達して開放される凹長溝と、前記凹長溝の前記開放する一端部に配置される回転自在なローラと、からなり、
前記凹長溝の長手方向の寸法は、前記遊技機の正面から見た横幅方向の一側下面が前記凹長溝の前記底壁上面に接地しかつその横幅方向の他側下面が前記ローラで支持されたとき、前記遊技機の重心が前記凹長溝における前記ローラよりも内側に位置するような長さに設定され、
前記遊技機の一側を上げてその下面を前記ローラに乗せ、そのまま前記凹長溝内に引き入れることにより、前記遊技機が載置できるようにしたことを特徴とする遊技機の運搬用台車。
【請求項２】
前記凹長溝内に回転自在な副ローラを配置し、前記副ローラは、前記遊技機の正面から見た横幅方向の前記一側下面が前記凹長溝の前記底壁上面に接地しかつその横幅方向の前記他側下面が前記ローラで支持されたとき、前記遊技機の下面に接して支持するような位置に配置されている請求項１記載の遊技機の運搬用台車。
【発明の詳細な説明】
【技術分野】
【０００１】
本発明は、パチンコ遊技機等の遊技機を載せて運搬する遊技機の運搬用台車に関するものである。
【背景技術】
【０００２】
従来、例えば、遊技機の一種であるパチンコ遊技機、特に新台、を搬送トラックにより輸送してパチンコホールに搬入する際、輸送トラックからパチンコホール内まで図５に示すように一般に荷物を運搬するときに用いる台車Ａ１が使用されている。該台車Ａ１は手押し式であって、裏面にキャスターｂが取着される水平な載置台ａを有する。該載置台ａは、上面が平坦面に形成されている。また、該載置台ａの後側の側端縁に、手で握って押すためのハンドルｃが立設される。そして、パチンコ遊技機を持ち上げて該載置台ａの上面に起立した状態で載せ、この状態でパチンコ遊技機を運搬している。
【０００３】
このように、一般の台車Ａ１にパチンコ遊技機を載せて運搬する方法では、一方の手で起立状態のパチンコ遊技機を支えると共に他方の手でハンドルｃを握って台車Ａ１を押すことになるので、パチンコ遊技機をしっかりと固定しておくことが難しく不安定な状態に置かれる可能性が高い。このため、ともすると運搬中にパチンコ遊技機が転倒して破損するといった課題が有る。これに対し、特許文献１に示される運搬用台車がある。該運搬用台車は、載置台の上面にパチンコ遊技機を起立状態でその下部が嵌まり込む凹長溝を設けており、該凹長溝にパチンコ遊技機の下部を嵌め込むようにしてその転倒を防止するようにしている。
【０００４】
【特許文献１】特開２００４−１６６９８１号公報（第３−４頁、図１、図５）
【発明の開示】
【発明が解決しようとする課題】
【０００５】
ところで、近時、パチンコ遊技機は大型の可変表示装置を備え、しかも、多くの装飾を施したものが好評を博しており、これに伴いパチンコ遊技機の全体重量が従来に比べてかなり重くなって来ている。しかしながら、前記従来の台車や特許文献１の運搬用台車にあっては、いずれもパチンコ遊技機を完全に上へ持ち上げて載置台の上面に載せなくてはならないので、一人ではその持ち上げ作業に多くの労力が必要になり、力の弱い者にとっては過酷な作業を強いられる。このため、その作業性も悪いという課題がある。
【０００６】
そこで、本発明は上記課題を解決すべくなされたもので、運搬時の安定性が良いと共に、多くの労力を必要とすることなく一人でも遊技機を載置台上に簡単に載せることができ、作業性が良い遊技機の運搬用台車を提供することを目的とするものである。
【課題を解決するための手段】
【０００７】
かかる目的を達成するため、本発明に係る遊技機の運搬用台車は、裏面にキャスターが取着される水平な載置台と、起立状態で載置される遊技機の下部が嵌まり込むように前記載置台の上面に形成され、長手方向の少なくとも一端が前記載置台の周端縁に達して開放される凹長溝と、前記凹長溝の前記開放する一端部に配置される回転自在なローラと、からなり、前記凹長溝の長手方向の寸法は、前記遊技機の正面から見た横幅方向の一側下面が前記凹長溝の前記底壁上面に接地しかつその横幅方向の他側下面が前記ローラで支持されたとき、前記遊技機の重心が前記凹長溝における前記ローラよりも内側に位置するような長さに設定され、前記遊技機の一側を上げてその下面を前記ローラに乗せ、そのまま前記凹長溝内に引き入れることにより、前記遊技機が載置できるようにしたことを特徴とする。
【０００８】
この際、前記凹長溝内に回転自在な副ローラを配置し、前記副ローラは、前記遊技機の正面から見た横幅方向の前記一側下面が前記凹長溝の前記底壁上面に接地しかつその横幅方向の前記他側下面が前記ローラで支持されたとき、前記遊技機の下面に接して支持するような位置に配置されていることが好ましい。
【発明の効果】
【０００９】
本発明に係る遊技機の運搬用台車は、載置台の上面に形成された凹長溝の開放する一端部にローラを配置し、該凹長溝の長手方向の寸法は、遊技機の正面から見た横幅方向の一側下面が凹長溝の底壁上面に接地しかつその横幅方向の他側下面がローラで支持されたとき、遊技機の重心が凹長溝におけるローラよりも内側に位置するような長さに設定されている。そして、凹長溝内にパチンコ遊技機の下部を嵌め込み起立した状態で運搬する。このように、前記遊技機の一側を上げてその下面を前記ローラに乗せ、そのまま前記凹長溝内に引き入れることにより前記遊技機が載置でき、運搬時のパチンコ遊技機の安定性も良い。よって、遊技機全体をそのまま持ち上げて載置台上面に配置する必要がなくなり、これにより一人でも遊技機を載置台上に簡単に載せることができ、その作業が楽に行なえるばかりか作業性も良くなるという効果がある。
【００１０】
また、前記凹長溝内に回転自在な副ローラを配置し、該副ローラは、前記遊技機の正面から見た横幅方向の一側下面が凹長溝の底壁上面に接地しかつその横幅方向の他側下面がローラで支持されたとき、遊技機の下面に接して支持するような位置に配置する。すなわち、ローラに対し副ローラが低い位置に配置される。これにより、遊技機がローラと副ローラとに支持された状態では、遊技機が凹長溝側に傾き、その自重によりローラと副ローラとの上面に沿ってスライドし自動的に凹長溝内に入るようになる。よって、遊技機を少しの力でもって移動させることができ、凹長溝内に遊技機を引き込み易くなる。これにより、遊技機を載置台に載せる作業が一層楽になり、作業性も向上するという効果がある。
【発明を実施するための最良の形態】
【００１１】
以下、本発明に係る遊技機の運搬用台車（以下、単に「運搬用台車」という。）の実施形態を図面と共に詳しく説明する。本発明は、パチンコ遊技機、アレンジボール機、雀球機、パチスロ機、パロット（登録商標）機等の遊技機を運搬するのに使用されるが、この内、本発明はパチンコ遊技機を運搬するのに使用する場合について説明する。なお、前記パロット機とは、パチンコ球を遊技媒体としてパチスロ機の遊技が可能な遊技機である。
【００１２】
図１は本発明に係る運搬用台車の外観斜視図、図２は同一部拡大正面図、図３は同一部拡大側面図である。運搬用台車Ａは、所定の高さ及び所定の広さを有する長方形状の水平な載置台１を有する。該載置台１は金属板を折曲加工して形成され、該載置台１の短手方向の中央部にその長手方向に沿って上面が開放した凹長溝２が形成されている。該凹長溝２は、起立状態で載置されるパチンコ遊技機Ｐの下部が嵌る溝幅を有し、前端面が載置台１の前端縁に達して開放しており、後端面は載置台１の後端縁に達してはいるが、平板１ａにより塞がれている。なお、パチンコ遊技機Ｐを載せ易くするため、凹長溝２の底壁２ａは床面Ｆに近づけてできる限り低い方が良い。
【００１３】
前記凹長溝２の開放側である前端側の端部であって凹長溝２の両側壁２ｂ，２ｂに軸孔３，３を開設すると共に両軸孔３，３に支軸４が挿通される。そして、該支軸４にローラ５が回転自在に軸着される。該支軸４は、凹長溝２の長手方向に対して直交し、しかも、凹長溝２の底壁２ａに近づけて配置される。また、支軸４はボルト６ａと該ボルト６ａに螺合するナット６ｂとからなり、該ナット６ｂを螺締してボルト６ａがしっかりと固定される。この際、ローラ５の上端は凹長溝２の上端面よりも下方に位置する。このように、ローラ５も高い位置に設けない方が良い。これは、パチンコ遊技機Ｐを引き入れ易くするためである。
【００１４】
また、同じく凹長溝２内であって前記ローラ５から所定の距離後方へ離れた位置に、前記ローラ５よりも小径の一対の副ローラ７ａ，７ｂが配置される。すなわち、凹長溝２の両側壁２ｂ，２ｂに串通するようにして支軸８ａ，８ｂが配設され、該各支軸８ａ，８ｂに副ローラ７ａ，７ｂが回転自在に軸着されている。該各支軸８ａ，８ｂも、凹長溝２の長手方向に対して直交するように配置される。支軸８ａ，８ｂはボルト９ａと該ボルト９ａに螺合するナット９ｂとからなり、該ナット９ｂを螺締してボルト９ａがしっかりと固定される。これら副ローラ７ａ，７ｂは、前記ローラ５よりも下方に位置する。しかも、ローラ５に近い副ローラ７ａよりも遠い副ローラ７ｂの方が下方に位置している。
【００１５】
前記一対の副ローラ７ａ，７ｂの取付位置について、もう少し詳しく説明する。後記するように凹長溝２内にパチンコ遊技機Ｐの下部が嵌ることになるが、この際、パチンコ遊技機Ｐの正面から見た横幅方向の一側下面ａ（下面角部）が凹長溝２の底壁２ａの上面で支持され、その横幅方向の他側下面ｂがローラ５で支持された状態で保持される。そのとき、前記一対の副ローラ７ａ，７ｂは、それぞれ前記パチンコ遊技機Ｐの下面に接して支持するような位置に配置されている。これにより、パチンコ遊技機Ｐがローラ５と一対の副ローラ７ａ，７ｂとに支持された状態では、該パチンコ遊技機Ｐが凹長溝２側に傾き、その自重によりローラ５と一対の副ローラ７ａ，７ｂとの上面に沿って斜め下方にスライドし、自動的に凹長溝２内に入るようになる。この場合、副ローラ７ａ，７ｂを２個使用したが、１個、または必要とあらば３個、４個、５個、６個、７個使用するようにしても良い。
【００１６】
載置台１の上面であって、凹長溝２に沿ってローラ５とは反対側に、運搬用台車Ａを手で押して移動させるためのハンドル１０が立設される。該ハンドル１０は、金属パイプを略門型に屈曲させて成形され、上端に凹長溝２の長手方向に対し直交位置するようにして水平な握り部１０ａが設けられる。また、その両端を下方へ屈曲させて脚部１０ｂ，１０ｂが延設される。両脚部１０ｂ，１０ｂを構成する２本のパイプ１１，１１は、上半部が凹長溝２に沿って少し後側へ折れ曲がり傾いている。
【００１７】
そして、両パイプ１１，１１の下端が載置台１の上面両側に固着される。両パイプ１１，１１の下半部は、載置台１の上面に垂直に立設される。その固着手段は、載置台１に開設された通孔１２を介してその下側から前記両パイプ１１，１１の下端に設けられた螺子孔（図示せず。）に、それぞれボルト１３を螺締する構成からなる。前記握り部１０ａは、その高さが通常の人の腰の位置とほぼ同じ位置に設定され、その長さはパチンコ遊技機Ｐの前後方向の幅よりも少し広く設定される。
【００１８】
載置台１の上面であって、凹長溝２の前端側の両側に、凹長溝２内にパチンコ遊技機Ｐの下部が嵌り易いようにガイドする金属製のガイド部材１４，１４が固着されている。両ガイド部材１４，１４は正面直角三角形状をなし、それら傾斜板部１４ａ，１４ａはその上面が互いに凹長溝２側に等しく下傾している。よって、凹長溝２からずれたパチンコ遊技機Ｐであっても、前記いずれかのガイド部材１４の傾斜板部１４ａの上面に載れば、その傾斜面に沿って自然と凹長溝２内に導かれることになる。
【００１９】
載置台１の裏面には、その四隅個所にキャスター１５が取着される。該各キャスター１５は、載置台１の裏面に固着される基板１６と、該基板１６の下面に配置され水平面内で自在に回転する軸受１７と、該軸受１７に固着され下方へ延設される一対の脚片１８，１８と、該脚片１８，１８の下端部間に軸着される車輪１９とからなる。前記基板１６は、載置台１の裏面に当接した状態で、載置台１６の表側から螺子２０を串通すると共に基板１６の下面で該螺子２０にナット２１を螺締することにより固着される。これにより、各キャスター１５の車輪１９が水平面内で自在にその向きを変えられ、運搬用台車Ａを好きな方向へ自在に移動できるようになっている。
【００２０】
本発明に係る運搬用台車Ａは上記構成からなり、次にその作用について説明する。例えば、新台であるパチンコ遊技機Ｐを搬送トラックにより輸送してパチンコホールに設置する際、輸送トラックからパチンコホール内まで本発明に係る運搬用台車Ａを使用し、該運搬用台車Ａにパチンコ遊技機Ｐを載せて運搬することになる。更に、詳しく説明すると、床面Ｆに起立状態で置かれたパチンコ遊技機Ｐの傍らに運搬用台車Ａを配置する。このとき、パチンコ遊技機Ｐの正面から見た横幅方向に沿って載置台１の凹長溝２が配置され、ローラ５がパチンコ遊技機Ｐ側を向く。
【００２１】
そして、図４に示すようにパチンコ遊技機Ｐの正面から見た横幅方向の一側を上げて、その一側下面ａを凹長溝２内の端部に位置するローラ５の上に載せる（図４では、Ｐ１の位置。）。このとき、パチンコ遊技機Ｐの横幅方向の他側の他側下面ｂ（下面角部）は床面Ｆに接地している。次に、パチンコ遊技機Ｐの正面から見た横幅方向の他側下面ｂである下面角部を床面Ｆから浮かせるようにして、パチンコ遊技機Ｐをそのまま凹長溝２内に引き入れる（図４では、Ｐ２の位置。）。
【００２２】
初めは、パチンコ遊技機Ｐの重心Ｇ１がローラ５の外側にあるため、パチンコ遊技機Ｐが運搬用台車Ａとは反対側へ下傾しようとする。これに対し、パチンコ遊技機Ｐが凹長溝２内に引き入れられ、その重心Ｇ３がローラ５の内側に位置するようになると、パチンコ遊技機Ｐが今度は凹長溝２側すなわち運搬用台車Ａのハンドル１０側へ下傾しようとする。そして、その下面が一対の副ローラ７ａ，７ｂに順に当接することになる（図４では、Ｐ３の位置。）。この状態になると、パチンコ遊技機Ｐがローラ５と一対の副ローラ７ａ，７ｂとで支えられることになり、しかも、これらがハンドル１０側へ下傾していることから、パチンコ遊技機Ｐの横幅方向の一側下面ａ（下面角部）が凹長溝２の底壁２ａの上面に接地するまでそのまま自重により自然とスライドする。
【００２３】
パチンコ遊技機Ｐの一側下面ａ（下面角部）が凹長溝２の底壁２ａ上面に接地しパチンコ遊技機Ｐが起立した状態では、パチンコ遊技機Ｐの他側下面ｂ側はローラ５により支持され、しかも、パチンコ遊技機Ｐの下部が凹長溝２に嵌まり込んでいる。また、パチンコ遊技機Ｐの正面から見て他端側が、載置台２の前端縁から外方へ突出している。そして、この状態で、作業者は一方の片手でパチンコ遊技機Ｐを支え、他方の片手で握り部１０ａを握ってパチンコ遊技機Ｐを運搬する。
【００２４】
運搬中は、パチンコ遊技機Ｐの一側下面ａ（下面角部）が凹長溝２の底壁２ａ上面で支持され、パチンコ遊技機Ｐの他側下面ｂ側がローラ５により支持され、パチンコ遊技機Ｐが作業者側であるハンドル１０側へ傾いて、しかも、パチンコ遊技機Ｐの下部が凹長溝２に嵌まり込んでいる。よって、パチンコ遊技機Ｐの正面から見て他端側が載置台２の前端縁から外方へ突出していても、作業者がパチンコ遊技機Ｐを支えれば、パチンコ遊技機Ｐが安定し、その運搬中にパチンコ遊技機Ｐをしっかり掴んでなくても転倒する危険性は低く、パチンコ遊技機Ｐの運搬も安全に行なえる。
【００２５】
この際、載置台１に起立状態で載せられたパチンコ遊技機Ｐを更に引き込み、パチンコ遊技機Ｐの横幅方向の一側壁ｓをハンドル１０の上端の握り部１０ａに支持させるようにすれば、パチンコ遊技機Ｐが一側下面ａ、他側下面ｂそしてハンドル１０との３点で支持されるようになり、安定性が極めて増す。よって、運搬中の転倒事故防止機能を向上させることができる。このとき、一対の副ローラ７ａ，７ｂは、パチンコ遊技機Ｐの下面から離れ接触しなくなる。
【００２６】
所定の場所に到着して運搬用台車Ａからパチンコ遊技機Ｐを降ろすには、運搬用台車Ａが勝手に移動しないようにハンドル１０を握って該運搬用台車Ａを固定させた状態で、パチンコ遊技機Ｐをハンドル１０の反対側へ押し出す。これにより、パチンコ遊技機Ｐが、図４の載置台1上に載置される動作とは逆の順序で進む。すなわち、パチンコ遊技機Ｐは初めローラ５と一対の副ローラ７ａ，７ｂとに支持されつつ移動し、その重心Ｇ１がローラ５より外側に位置すると、パチンコ遊技機Ｐが外側へ傾いて前記他側下面ｂ（下面角部）が床面Ｆに接地する。次に、パチンコ遊技機Ｐの一側下面ａ側を上に引き上げた状態で、その下側の運搬用台車Ａを引き離す。そして、床面Ｆにパチンコ遊技機Ｐを置く。これにより、パチンコ遊技機Ｐが降ろされる。
【００２７】
このように、パチンコ遊技機Ｐを運搬用台車Ａに載せるに、該パチンコ遊技機Ｐの正面から見た横幅方向の一側を上げて凹長溝２内に引き入れるようにすれば、パチンコ遊技機Ｐが載置できる。よって、パチンコ遊技機Ｐ全体をそのまま持ち上げて載置台１上面に配置する必要がなくなり、これにより一人でもパチンコ遊技機Ｐを載置台１上に簡単に載せることができ、その作業が楽に行なえるばかりか作業性も良くなる。
【００２８】
また、凹長溝２内に回転自在な一対の副ローラ７ａ，７ｂを配置し、該副ローラ７ａ，７ｂは、パチンコ遊技機Ｐの正面から見た横幅方向の一側下面ａが凹長溝２の底壁２ａ上面に接地しかつその横幅方向の他側下面ｂがローラ５で支持されたとき、パチンコ遊技機Ｐの下面に接して支持するような位置に配置する。すなわち、ローラ５に対し一対の副ローラ７ａ，７ｂが低い位置に配置される。これにより、パチンコ遊技機Ｐがローラ５と一対の副ローラ７ａ，７ｂとに支持された状態では、パチンコ遊技機Ｐが凹長溝２すなわちハンドル１０側へ傾き、その自重によりローラ５と一対の副ローラ７ａ，７ｂとの上面に沿ってスライドし自動的に凹長溝２内に入るようになる。よって、パチンコ遊技機Ｐを少しの力でもって移動させることができ、凹長溝２内にパチンコ遊技機Ｐを引き込み易くなる。
【００２９】
本発明の運搬用台車Ａは、凹長溝２の長手方向の寸法がパチンコ遊技機Ｐの正面から見た横幅方向の長さ寸法よりも短く、かつ、その横幅方向の長さ寸法の半分よりも長く設定されている。しかも、載置台１における凹長溝２の両側の平坦部はキャスター１５を取着するためのスペースにすぎず、載置台１上面の面積を極力小さく形成している。これにより、運搬用台車Ａは極めてコンパクト化される。このようにコンパクト化するのは、パチンコホールにあって、パチンコ遊技機Ｐが列設される島台（図示せず。）間といった狭い通路を運搬用台車Ａが通り、この種パチンコ遊技機Ｐを運搬するのに極めて至便だからである。
【図面の簡単な説明】
【００３０】
【図１】本発明に係る運搬用台車の外観斜視図。
【図２】同一部拡大正面図。
【図３】同一部拡大側面図。
【図４】同作用を示す運搬用台車の側面断面図。
【図５】従来の台車の斜視図。
【符号の説明】
【００３１】
１            載置台
２            凹長溝
５            ローラ
７ａ          副ローラ
７ｂ          副ローラ
１５          キャスター
Ａ            運搬用台車
ａ            一側下面
ｂ            他側下面
Ｇ１          重心
Ｇ３          重心
Ｐ            遊技機（パチンコ遊技機）
【図１】
2009178379.tif 000003
【図２】
2009178379.tif 000004
【図３】
2009178379.tif 000005
【図４】
2009178379.tif 000006
【図５】
2009178379.tif 000007